(57)【要約】【課題】舗装用材料の搬送状況を適切に管理すること。【解決手段】舗装用材料を搬送する車両の出発位置から搬送先の位置までの間に設定される所定のエリアに対応して、車両の移動状況を示す移動情報を記憶する移動情報記憶手段と、車両の位置を測定する位置測定装置の測定結果に基づく位置に関する情報を取得する取得手段と、前記取得手段によって取得された前記位置に関する情報に基づいて、前記移動情報記憶手段に記憶される移動情報の中から、車両が通過する通過エリアに対応する移動情報を特定する特定手段と、前記特定手段によって特定された移動情報と、前記位置に関する情報から得られる前記通過エリアにおける通過時刻と、を含む搬送情報を搬送情報記憶手段に登録する登録手段と、を有することを特徴とする。【選択図】図５Ｂ
2020071535.tif 000002
【特許請求の範囲】
【請求項１】
舗装用材料を搬送する車両の出発位置から搬送先の位置までの間に設定される所定のエリアに対応して、車両の移動状況を示す移動情報を記憶する移動情報記憶手段と、
車両の位置を測定する位置測定装置の測定結果に基づく位置に関する情報を取得する取得手段と、
前記取得手段によって取得された前記位置に関する情報に基づいて、前記移動情報記憶手段に記憶される移動情報の中から、車両が通過する通過エリアに対応する移動情報を特定する特定手段と、
前記特定手段によって特定された移動情報と、前記位置に関する情報から得られる前記通過エリアにおける通過時刻と、を含む搬送情報を搬送情報記憶手段に登録する登録手段と、
を有することを特徴とする管理装置。
【請求項２】
端末装置と通信を行う通信手段と、
前記所定のエリアに対応して通知内容を記憶する通知内容記憶手段と、
をさらに備え、
前記特定手段は、前記取得手段によって取得された前記位置に関する情報に基づいて、前記通知内容記憶手段に記憶される通知内容の中から、前記通過エリアに対応する通知内容を特定し、
前記通信手段は、前記特定手段によって特定された通知内容を含む前記搬送情報を端末装置へ送信する、
ことを特徴とする請求項１に記載の管理装置。
【請求項３】
前記取得手段は、車両が搬送する舗装用材料の搬送内容を取得し、
前記通信手段は、前記取得手段によって取得された前記搬送内容を含む前記搬送情報を端末装置へ送信する、
ことを特徴とする請求項２に記載の管理装置。
【請求項４】
車両が複数のエリアを通過する際の通過順序を記憶する通過順序記憶手段をさらに備え、
前記登録手段は、前記通過順序記憶手段を参照し、前記通過エリアが前記通過順序に応じたエリアである場合に、前記搬送情報を登録する、
ことを特徴とする請求項１〜３のいずれか一項に記載の管理装置。
【請求項５】
コンピュータが、
車両の位置を測定する位置測定装置の測定結果に基づく位置に関する情報を取得し、
舗装用材料を搬送する車両の出発位置から搬送先の位置までの間に設定される所定のエリアに対応して、車両の移動状況を示す移動情報を記憶する移動情報記憶部に記憶される移動情報の中から、取得した前記位置に関する情報に基づいて、車両が通過する通過エリアに対応する移動情報を特定し、
特定した移動情報と、前記位置に関する情報から得られる前記通過エリアにおける通過時刻と、を含む搬送情報を搬送情報記憶部に登録する、
処理を実行することを特徴とする管理方法。
【請求項６】
コンピュータに、
車両の位置を測定する位置測定装置の測定結果に基づく位置に関する情報を取得し、
舗装用材料を搬送する車両の出発位置から搬送先の位置までの間に設定される所定のエリアに対応して、車両の移動状況を示す移動情報を記憶する移動情報記憶部に記憶される移動情報の中から、取得した前記位置に関する情報に基づいて、車両が通過する通過エリアに対応する移動情報を特定し、
特定した移動情報と、前記位置に関する情報から得られる前記通過エリアにおける通過時刻と、を含む搬送情報を搬送情報記憶部に登録する、
処理を実行させることを特徴とする管理プログラム。
【発明の詳細な説明】
【技術分野】
【０００１】
本発明は、管理装置、管理方法、及び管理プログラムに関する。
【背景技術】
【０００２】
従来、道路工事において、工場から工事現場まで生コンクリートなどの舗装用材料を運ぶ際には、工場において生コンクリートを練り混ぜた練り混ぜ開始時刻からの経過時間などが管理される。例えば、生コンクリートの練り混ぜ開始時刻や、経過時間、搬送する車両の台数などをデータベースに記憶して管理する打設管理システムが開示されている（例えば、特許文献１参照）。
【先行技術文献】
【特許文献】
【０００３】
【特許文献１】特開２０１８−００１６５８号公報
【発明の概要】
【発明が解決しようとする課題】
【０００４】
しかしながら、従来技術では、舗装用材料を搬送する車両の搬送状況を適切に管理することができない、という問題がある。例えば、生コンクリートやアスファルト混合物といった舗装用材料については品質が低下してしまうと使用できなくなるため、搬送において時間管理や温度管理が行われる。例えば、車両の到着が工事の進捗に対して早い場合には、荷卸しを待機することとなり、舗装用材料の品質が低下してしまうことがある。また、車両の到着が工事の進捗に対して遅れる場合に、先に打設したコンクリートの硬化が始まってしまうと、その上に生コンクリートを打設したとしても、継ぎ目ができたりクラックが生じたりしてしまい、仕上がり時の品質が低下することもある。このため、舗装用材料を用いた工事では、工事の進捗に対して、車両の搬送状況を現場担当者等が的確に把握することが望まれている。
【０００５】
本発明は、このような事情に鑑みてなされたもので、その目的は、舗装用材料の搬送状況を適切に管理することを目的とする。
【課題を解決するための手段】
【０００６】
上述した課題を解決するために、本発明の一態様である管理装置は、舗装用材料を搬送する車両の出発位置から搬送先の位置までの間に設定される所定のエリアに対応して、車両の移動状況を示す移動情報を記憶する移動情報記憶手段と、車両の位置を測定する位置測定装置の測定結果に基づく位置に関する情報を取得する取得手段と、前記取得手段によって取得された前記位置に関する情報に基づいて、前記移動情報記憶手段に記憶される移動情報の中から、車両が通過する通過エリアに対応する移動情報を特定する特定手段と、前記特定手段によって特定された移動情報と、前記位置に関する情報から得られる前記通過エリアにおける通過時刻と、を含む搬送情報を搬送情報記憶手段に登録する登録手段と、を有することを特徴とする。
【０００７】
上記管理装置において、端末装置と通信を行う通信手段と、前記所定のエリアに対応して通知内容を記憶する通知内容記憶手段と、をさらに備え、前記特定手段は、前記取得手段によって取得された前記位置に関する情報に基づいて、前記通知内容記憶手段に記憶される通知内容の中から、前記通過エリアに対応する通知内容を特定し、前記通信手段は、前記特定手段によって特定された通知内容を含む前記搬送情報を端末装置へ送信してもよい。
【０００８】
上記管理装置において、前記取得手段は、車両が搬送する舗装用材料の搬送内容を取得し、前記通信手段は、前記取得手段によって取得された前記搬送内容を含む前記搬送情報を端末装置へ送信してもよい。
【０００９】
上記管理装置において、車両が複数のエリアを通過する際の通過順序を記憶する通過順序記憶手段をさらに備え、前記登録手段は、前記通過順序記憶手段を参照し、前記通過エリアが前記通過順序に応じたエリアである場合に、前記搬送情報を登録してもよい。
【００１０】
上述した課題を解決するために、本発明の他の態様である管理方法は、コンピュータが、車両の位置を測定する位置測定装置の測定結果に基づく位置に関する情報を取得し、舗装用材料を搬送する車両の出発位置から搬送先の位置までの間に設定される所定のエリアに対応して、車両の移動状況を示す移動情報を記憶する移動情報記憶部に記憶される移動情報の中から、取得した前記位置に関する情報に基づいて、車両が通過する通過エリアに対応する移動情報を特定し、特定した移動情報と、前記位置に関する情報から得られる前記通過エリアにおける通過時刻と、を含む搬送情報を搬送情報記憶部に登録する、処理を実行することを特徴とする。
【００１１】
上述した課題を解決するために、本発明の他の態様である管理プログラムは、車両の位置を測定する位置測定装置の測定結果に基づく位置に関する情報を取得し、舗装用材料を搬送する車両の出発位置から搬送先の位置までの間に設定される所定のエリアに対応して、車両の移動状況を示す移動情報を記憶する移動情報記憶部に記憶される移動情報の中から、取得した前記位置に関する情報に基づいて、車両が通過する通過エリアに対応する移動情報を特定し、特定した移動情報と、前記位置に関する情報から得られる前記通過エリアにおける通過時刻と、を含む搬送情報を搬送情報記憶部に登録する、処理を実行させることを特徴とする。
【発明の効果】
【００１２】
本発明によれば、舗装用材料の搬送状況を適切に管理することができる。
【図面の簡単な説明】
【００１３】
【図１】実施形態１にかかる管理システムのシステム構成の一例を示す説明図である。
【図２】第１管理サーバ１０Ａのハードウェア構成の一例を示す説明図である。
【図３】実施の形態１の概要を示す説明図である。
【図４】第１管理サーバ１０Ａが管理する工事状況管理テーブルの一例を示す説明図である。
【図５Ａ】第１管理サーバ１０Ａが有する移動情報管理テーブルの一例を示す説明図である。
【図５Ｂ】第１管理サーバ１０Ａが管理する運行情報管理テーブルの一例を示す説明図である。
【図６】第１管理サーバ１０Ａが管理するメッセージ管理テーブルの一例を示す説明図である。
【図７】端末装置２０に表示されるメッセージの一例を示す説明図である。
【図８】実施の形態１にかかる第１管理サーバ１０Ａが行う車両３００の運行情報を管理する処理の一例を示すフローチャートである。
【図９Ａ】端末装置２０に表示される工事状況管理情報の一例を示す説明図である。
【図９Ｂ】端末装置２０に表示される運行管理情報の一例を示す説明図である。
【図１０】第１管理サーバ１０Ａが行う搬送情報を送信する処理の一例を示すフローチャートである。
【図１１】実施の形態１にかかる第１管理サーバ１０Ａの機能的構成の一例を示すブロック図である。
【図１２】実施の形態２の概要を示す説明図である。
【図１３】実施の形態２にかかるメッセージ管理テーブルの一例を示す説明図である。
【図１４】実施の形態２にかかる第１管理サーバ１０Ａが行う車両３００の運行情報を管理する処理の一例を示すフローチャートである。
【図１５】実施の形態２にかかる第１管理サーバ１０Ａの機能的構成の一例を示すブロック図である。
【発明を実施するための形態】
【００１４】
以下、図面を参照し、本発明の管理装置、管理方法、及び管理プログラムの実施形態１，２について説明する。
【００１５】
（実施の形態１）
（管理システムのシステム構成）
図１は、実施形態１にかかる管理システムのシステム構成の一例を示す説明図である。図１に示す管理システム１は、第１管理サーバ１０Ａと、第２管理サーバ１０Ｂと、端末装置２０（２０ａ，２０ｂ，…，２０ｎ）と、位置測定装置３０（３０ａ，３０ｂ，…，３０ｎ）とを備える。管理システム１において、第１管理サーバ１０Ａと、端末装置２０とは、有線または無線のネットワーク４０Ａを介して接続される。また、第２管理サーバ１０Ｂと、位置測定装置３０とは、有線または無線のネットワーク４０Ｂを介して接続される。また、第１管理サーバ１０Ａと、第２管理サーバ１０Ｂとは、不図示のネットワークを介して接続され、第２管理サーバ１０Ｂから第１管理サーバ１０Ａへ電子メールが送信可能に接続されている。ネットワーク４０Ａ，４０Ｂは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００１６】
第１管理サーバ１０Ａは、舗装用材料の搬送状況を示す搬送情報を管理するコンピュータ装置である。搬送情報は、例えば、舗装用材料を搬送する車両の運行状況を示す運行管理情報や、工事現場における舗装用材料の打設状況などを示す工事状況管理情報を含む。第１管理サーバ１０Ａは、本発明にかかる管理装置の一例である。第２管理サーバ１０Ｂは、位置測定装置３０から車両の位置情報や時刻の情報を受信すると、受信した情報を第１管理サーバ１０Ａへ送信する。なお、図１に示す管理システム１の例では、第１管理サーバ１０Ａと、第２管理サーバ１０Ｂとは、別々のコンピュータ装置とするが、これらは、一のコンピュータ装置としてもよい。
【００１７】
端末装置２０は、ユーザに通知する情報を表示出力または音声出力することが可能なコンピュータ装置である。端末装置２０は、例えば、スマートフォン２０ａ、タブレット端末２０ｂ、パソコン２０ｎなどである。例えば、スマートフォン２０ａやタブレット端末２０ｂは、工事現場の現場担当者や、舗装用材料の工場のスタッフに携行される。また、パソコン２０ｎは、舗装用材料の工場の事務所に配置される。端末装置２０は、第１管理サーバ１０Ａで管理される車両の運行管理情報や、舗装用材料の打設状況を示す工事状況管理情報などを第１管理サーバ１０Ａから受信することにより、これらの情報を表示する。なお、端末装置２０は、図示したコンピュータ装置に限らず、例えば、携帯電話やノートパソコンなどであってもよい。
【００１８】
位置測定装置３０は、舗装用材料を搬送する車両に搭載され、当該車両の位置情報を測定する。位置測定装置３０は、具体的には、ＧＰＳ（Ｇｌｏｂａｌ  Ｐｏｓｉｔｉｏｎｉｎｇ  Ｓｙｓｔｅｍ）機能を有するコンピュータ装置である。位置測定装置３０は、測定した位置情報を第２管理サーバ１０Ｂへ送信する。位置測定装置３０は、例えば、ナビゲーション装置や、スマートフォンや、携帯電話などによって実現される。
【００１９】
（第１管理サーバ１０Ａのハードウェア構成）
図２は、第１管理サーバ１０Ａのハードウェア構成の一例を示す説明図である。なお、以下では、第１管理サーバ１０Ａについて説明するが、第２管理サーバ１０Ｂや端末装置２０や位置測定装置３０（ナビゲーション装置）についても、同様の構成とすることができる。
【００２０】
図２において、第１管理サーバ１０Ａは、ＣＰＵ（Ｃｅｎｔｒａｌ  Ｐｒｏｃｅｓｓｉｎｇ  Ｕｎｉｔ）５１と、ＲＯＭ（Ｒｅａｄ  Ｏｎｌｙ  Ｍｅｍｏｒｙ）５２と、ＲＡＭ（Ｒａｎｄｏｍ  Ａｃｃｅｓｓ  Ｍｅｍｏｒｙ）５３と、入力デバイス５４と、出力デバイス５５と、通信Ｉ／Ｆ（Ｉｎｔｅｒｆａｃｅ）５６と、を備える。コンピュータ装置が備える各部５１〜５６は、バス６０によってそれぞれ接続されている。なお、第１管理サーバ１０Ａは、入力デバイス５４および出力デバイス５５を備えていなくてもよい。
【００２１】
ＣＰＵ５１は、コンピュータ装置の全体の制御をつかさどる。ＲＯＭ５２は、各種プログラムを記憶する。例えば、ＲＯＭ５２は、本発明にかかる管理プログラムを記憶する。ＲＡＭ５３は、ＣＰＵ５１のワークエリアとして使用される。ＲＡＭ５３には、例えば、工事状況管理テーブル（図４参照）や、移動情報管理テーブル（図５Ａ参照）、運行情報管理テーブル（図５Ｂ参照）や、メッセージ管理テーブル（図６参照）が記憶される。
【００２２】
入力デバイス５４は、文字、数字、各種指示などの入力のためのキーを有し、データの入力を行う。入力デバイス５４は、タッチパネル式の入力パッドやテンキーなどであってもよいし、キーボードやマウスなどであってもよい。また、入力デバイス５４は、音声を入力するマイクを含んでもよいし、撮像対象を撮像するカメラを含んでもよい。
【００２３】
出力デバイス５５は、画像を表示するディスプレイや、音声を出力するスピーカを含む。出力デバイス５５は、プリンタを含んでもよい。通信Ｉ／Ｆ５６は、通信回線を通じてネットワーク４０に接続され、ネットワーク４０Ａ，４０Ｂ等を介して他の装置（第２管理サーバ１０Ｂ、端末装置２０および位置測定装置３０）に接続される。
【００２４】
（実施の形態１の概要）
図３は、実施の形態１の概要を示す説明図である。図３において、工事現場３０２は、例えば、トンネル内における道路工事が行われる場所を示す。工事現場３０２では、例えば、生コンクリートによる打設が行われる。工事現場３０２に用いられる生コンクリートは、工場３０１で練り混ぜが行われ、車両３００によって搬送される。工場３０１からは、生コンクリートを搬送する車両３００（ミキサー車）が定期的に出発し、順次、工事現場３０２に到着する。工事現場３０２に到着すると、生コンクリートが引き渡される。具体的には、車両３００によって搬送された生コンクリートは、例えば、荷卸しとともに、ポンプ車によって圧送され、対象の位置に打設される。
【００２５】
ここで、生コンクリートは、練り混ぜが開始されてから９０分が経過すると品質が低下する。このため、練り混ぜが開始されてから９０分が経過していない生コンクリートが打設用に用いられることとなる。なお、練り混ぜが開始されてから９０分を経過した生コンクリートは、場合によっては廃棄されることとなる。このため、生コンクリートの管理には十分な注意が払われる。
【００２６】
工場３０１から工事現場３０２までの経路上には、複数のエリア（第１エリア〜第４エリア）が設けられる。車両３００（位置測定装置３０）は、第２管理サーバ１０Ｂへ位置情報を適宜送信する。第２管理サーバ１０Ｂは、車両３００から受信した位置情報を第１管理サーバ１０Ａへ送信する。第１管理サーバ１０Ａは、第２管理サーバ１０Ｂから受信した位置情報を用いて、車両３００がエリア内にいるか否かを判定する。第１管理サーバ１０Ａは、車両３００がエリア内にいると判定した場合には、車両３００が通過する通過エリアを特定する。ここで、第１管理サーバ１０Ａは、各エリアに対応する移動情報を管理する。移動情報は、例えば、「出荷」、「チェックポイントの通過」、「到着」など、エリアに応じた移動状況を示す情報である。
【００２７】
ここで、第２管理サーバ１０Ｂは、車両３００が各エリアを通過すると、各エリアを通過した時刻を含む通過情報を車両３００（位置測定装置３０）から受信する。第２管理サーバ１０Ｂは、車両３００から受信した通過情報を登録する。また、第２管理サーバ１０Ｂは、車両３００から受信した通過情報を第１管理サーバ１０Ａへ送信する。例えば、第２管理サーバ１０Ｂは、通過情報を、電子メールで第１管理サーバ１０Ａへ送信する。
【００２８】
第１管理サーバ１０Ａは、第２管理サーバ１０Ｂから通過情報を受信すると、受信した通過情報を登録する。例えば、第１管理サーバ１０Ａおよび第２管理サーバ１０Ｂは、車両３００が第１エリアを通過すると、工場３０１を通過した時刻（出荷時刻）を登録（記憶）する。また、第１管理サーバ１０Ａおよび第２管理サーバ１０Ｂは、車両３００が第２エリアや第３エリアを通過すると、それぞれＡチェックポイントやＢチェックポイントを通過した時刻を登録する。また、第１管理サーバ１０Ａおよび第２管理サーバ１０Ｂは、車両３００が第４エリアを通過すると、工事現場３０２に到着した時刻（到着時刻）を登録する。
【００２９】
また、第１管理サーバ１０Ａは、通過情報と移動情報とを含む運行情報を管理する。また、第１管理サーバ１０Ａは、端末装置２０からの要求（送信要求）に応じて、登録した内容を端末装置２０へ送信する。これにより、端末装置２０は、第１管理サーバ１０Ａにおいて登録された内容を受信して、受信した内容を閲覧可能に表示することができる。
【００３０】
また、第１管理サーバ１０Ａは、エリア毎に対応するメッセージを記憶する。例えば、第１エリアには「出発しました」といったメッセージが対応付けて記憶されている。また、例えば、第４エリアには「まもなく到着します」といったメッセージが対応付けて記憶されている。例えば、第１管理サーバ１０Ａは、車両３００が第１エリアを通過すると、「出発しました」といったメッセージを、端末装置２０からの要求に応じて端末装置２０（工事現場３０２の現場担当者が所持する端末装置２０）へ送信する。また、第１管理サーバ１０Ａは、車両３００が第４エリアを通過すると、「まもなく到着します」といったメッセージを、端末装置２０からの要求に応じて端末装置２０へ送信する。同様に、車両３００が第２エリアや第３エリアを通過した場合も、各エリアに対応付けられたメッセージが端末装置２０からの要求に応じて端末装置２０へ送信される。なお、第１管理サーバ１０Ａは、これらのメッセージを、端末装置２０からの要求に応じて端末装置２０へ送信することに限らず、予め登録された端末装置２０へ自動送信してもよい。
【００３１】
また、第１管理サーバ１０Ａは、工事状況管理情報を管理する。工事状況管理情報は、工事現場３０２において実際に使用される生コンクリートの品質試験データや気象データなどを含む情報である。品質試験データや気象データは、現場担当者や品質試験の担当者の端末装置２０から送信される。また、第１管理サーバ１０Ａは、端末装置２０からの要求に応じて、工事状況管理情報を端末装置２０へ送信する。これにより、端末装置２０は、第１管理サーバ１０Ａにおいて管理される工事状況管理情報を受信して、受信した工事状況管理情報を閲覧可能に表示することができる。
【００３２】
（第１管理サーバ１０Ａが管理する工事状況管理テーブルの一例）
図４は、第１管理サーバ１０Ａが管理する工事状況管理テーブルの一例を示す説明図である。図４において、工事状況管理テーブルは、車両情報４０１と、出荷数量４０２と、気象情報４０３と、材料品質情報４０４と、施工情報４０５と、を含む工事状況管理情報を記憶する。車両情報４０１は、「出荷順」と、「管理番号」と、「車番」との情報を含む。「出荷順」は、出荷順を示す番号である。「管理番号」は、工事状況管理テーブルにおいて一意に割り当てられる番号である。「車番」は、例えば、車両３００のナンバープレートに記載される４桁の番号である。
【００３３】
出荷数量４０２は、「単独」と、「累計」とを示す。「単独」は、車両１台で搬送される生コンクリートの量を示す。「累計」は、複数の車両３００によって工事現場３０２まで搬送された生コンクリートの総量を示す。出荷数量４０２に示す数値は、例えば、工場３０１のスタッフが端末装置２０を用いて入力した値である。
【００３４】
気象情報４０３は、車両３００ごとに生コンクリートが搬送されたときの「気温」と、「湿度」とを示す。「気温」や「湿度」に示す数値は、例えば、品質試験の担当者が端末装置２０を用いて入力した値である。
【００３５】
材料品質情報４０４は、生コンクリートの材料の品質を示し、具体的には、品質試験が行われた生コンクリートについての試験データを示す。なお、材料品質情報４０４は、搬送された全ての生コンクリートを対象に品質試験が行われるのではなく、搬送された生コンクリートのうち、所定頻度で選んだもの、または、ランダムで選んだものを対象に品質試験が行われた試験結果を示す。材料品質情報４０４に示す数値は、例えば、工事現場３０２の品質試験の担当者が端末装置２０を用いて入力した値である。
【００３６】
施工情報４０５は、工事現場３０２における工事の進捗状況を示す。施工情報４０５に示す数値は、例えば、工事現場３０２の現場担当者が端末装置２０を用いて入力した値である。
【００３７】
（第１管理サーバ１０Ａが有する移動情報管理テーブルの一例）
図５Ａは、第１管理サーバ１０Ａが有する移動情報管理テーブルの一例を示す説明図である。なお、図５Ａに示す移動情報管理テーブルや、後述する図５Ｂに示す運行情報管理テーブルは、第１管理サーバ１０Ａのみならず、第２管理サーバ１０Ｂでも記憶されてもよい。図５Ａにおいて、移動情報管理テーブルは、「エリアＩＤ」と、「エリア名」と、「エリアの位置情報」と、「移動情報」とを含む。「エリアＩＤ」は、各エリアを識別する識別情報である。「エリア名」は、エリア毎に付される名称である。「エリアの位置情報」は、エリアの位置（範囲）を特定するための情報であり、例えば、緯度経度情報を含む。「移動情報」は、移動状況を示しており、例えば、「出荷」、「チェックポイントの通過」、「到着」を示す情報である。移動情報管理テーブルを用いることにより、車両３００が通過した通過エリアに応じた移動情報が選択される。具体的には、例えば、車両３００が第１エリアを通過した場合に、「出荷」が選択される。
【００３８】
（第１管理サーバ１０Ａが管理する運行情報管理テーブルの一例）
図５Ｂは、第１管理サーバ１０Ａが管理する運行情報管理テーブルの一例を示す説明図である。図５Ｂにおいて、第１運行情報管理テーブルＡは、車両情報４０１と、時刻情報４０６と、を含む車両の運行情報を記憶する。車両情報４０１は、図４の工事状況管理テーブルに示した車両情報４０１と同一の情報である。このため、運行情報管理テーブルと、図４の工事状況管理テーブルとを一つのテーブルとして記憶することも可能である。時刻情報４０６のうち、「移動情報」の項目内の時刻は、それぞれ「移動情報」に対応するエリアを各車両３００が通過した時刻を示す。なお、「移動情報」は、図５Ａに示したように、「エリアＩＤ」や「エリア名」と対応付けられている。このため、運行情報管理テーブルにおいて、「移動情報」を、「エリアＩＤ」や「エリア名」に置き換えることも可能である。
【００３９】
また、時刻情報４０６のうち、経過４０７の項目は、出荷から到着までに要した時間を示す。また、時刻情報４０６のうち、「荷卸」および「完了」の項目は、実際に荷卸（打設）が開始された時刻や荷卸が完了した時刻を示す。「荷卸」および「完了」の時刻は、例えば、現場担当者によって入力される。また、時刻情報４０６のうち、経過４０８の項目は、荷卸から完了までに要した時間を示す。
【００４０】
（第１管理サーバ１０Ａが管理するメッセージ管理テーブルの一例）
図６は、第１管理サーバ１０Ａが管理するメッセージ管理テーブルの一例を示す説明図である。図６において、メッセージ管理テーブルは、「エリアＩＤ」と、「エリア名」と、「メッセージ」と、の情報を含む。「エリアＩＤ」および「エリア名」は、図５Ａの移動情報管理テーブルに示したものと同様である。このため、メッセージ管理テーブルと、図５Ａの移動情報管理テーブルとを一つのテーブルとして記憶することも可能である。
【００４１】
メッセージ管理テーブルにおいて、「メッセージ」は、各エリアを通過した際に選択される通知内容である。例えば、車両３００が第１エリアを通過したときには、「出発しました」のメッセージが選択されることを示す。なお、選択されたメッセージは、端末装置２０に送信され、端末装置２０において表示される。
【００４２】
（端末装置２０に表示されるメッセージの一例）
図７は、端末装置２０に表示されるメッセージの一例を示す説明図である。図７に示すように、端末装置２０には、車両３００ごとのメッセージが表示されている。これにより、工事現場３０２の現場担当者は、どの車両３００があとどれくらいの時間で工事現場３０２に到着するのかを容易に把握することができる。また、図７に示す画面は、それぞれの車両３００の位置に応じて随時更新されていく。
【００４３】
なお、図７に示した画面例に限らず、例えば、到着が近くなった車両３００（第３エリアや第４エリアを通過した車両３００）に対応するメッセージを通知することとしてもよい。また、特定の車両３００（例えば車番８４−６１を示す車両３００）に対応するメッセージのみを通知してもよい。また、メッセージとともに、車両３００が搬送する舗装用材料の搬送量（出荷数量）についても通知してよい。
【００４４】
（実施の形態１にかかる第１管理サーバ１０Ａが行う車両３００の運行情報を管理する処理の一例）
図８は、実施の形態１にかかる第１管理サーバ１０Ａが行う車両３００の運行情報を管理する処理の一例を示すフローチャートである。図８において、第１管理サーバ１０Ａは、車両３００がいずれかのエリアを通過したか否かを判断する（ステップＳ１０１）。なお、ステップＳ１０１では、第１管理サーバ１０Ａは、例えば、第２管理サーバ１０Ｂを介して車両３００（位置測定装置３０）から受信した位置情報（現在地点を示す情報）と、予め記憶されるエリアの位置情報とを用いて、車両３００がいずれかのエリア内に位置するか否かを判断する。
【００４５】
第１管理サーバ１０Ａは、車両３００がいずれかのエリアを通過するまで待機する（ステップＳ１０１：ＮＯ）。第１管理サーバ１０Ａは、車両３００がいずれかのエリアを通過した場合（ステップＳ１０１：ＹＥＳ）、エリアを通過した車両３００を特定する（ステップＳ１０２）。具体的には、ステップＳ１０２では、第１管理サーバ１０Ａは、図５Ｂの運行情報管理テーブルに記憶される車両情報４０１の「管理番号」のうち、位置測定装置３０から送信された管理番号と一致するものを特定する。
【００４６】
そして、第１管理サーバ１０Ａは、車両３００が通過したエリアを特定する（ステップＳ１０３）。具体的には、ステップＳ１０３では、第１管理サーバ１０Ａは、例えば、車両３００（位置測定装置３０）から受信した位置情報（現在地点を示す情報）と、予め記憶されるエリアの位置情報とを用いて、車両３００が位置するエリアを特定する。
【００４７】
次に、第１管理サーバ１０Ａは、図５Ａの移動情報管理テーブルを参照し、特定したエリアのエリアＩＤに対応する移動情報（「出荷」や「到着」などを示す情報）を特定する（ステップＳ１０４）。そして、第１管理サーバ１０Ａは、第２管理サーバ１０Ｂを介して、位置情報とともに位置測定装置３０から送信される測定時刻の情報を用いて、当該エリアを通過した通過時刻を取得する（ステップＳ１０５）。
【００４８】
次に、第１管理サーバ１０Ａは、特定した移動情報と、取得した通過時刻とを含む運行情報を、運行情報管理テーブル（図５Ｂ参照）に記憶する（ステップＳ１０６）。そして、第１管理サーバ１０Ａは、メッセージ管理テーブル（図６参照）を参照して、特定したエリアに対応するメッセージを特定する（ステップＳ１０７）。そして、第１管理サーバ１０Ａは、端末装置２０からの要求に応じて当該端末装置２０へ、特定したメッセージを送信する（ステップＳ１０８）。これにより、不特定多数の端末装置２０が、ネットワーク４０Ａを介して第１管理サーバ１０Ａにアクセスすることにより、メッセージを取得することができる。
【００４９】
次に、第１管理サーバ１０Ａは、車両３００が第４エリア（工事現場３０２）を通過したか否かを判断する（ステップＳ１０９）。第１管理サーバ１０Ａは、車両３００が第４エリア（工事現場３０２）を通過していないと判断した場合（ステップＳ１０９：ＮＯ）、ステップＳ１０１へ戻る。第１管理サーバ１０Ａは、車両３００が第４エリア（工事現場３０２）を通過したと判断した場合（ステップＳ１０９：ＹＥＳ）、当該車両３００についての管理（運行情報の登録等）を終了し（ステップＳ１１０）、一連の処理を終了する。
【００５０】
なお、第１管理サーバ１０Ａは、ステップＳ１０９において、車両３００が第４エリア（工事現場３０２）を通過したと判断した場合に、打設が行われるものとみなして、図４の工事状況管理テーブルにおける施工情報４０５に示す「打設完了」を「完」に設定してもよい。これにより、車両３００の移動に応じて迅速に施工情報４０５を更新することができるとともに、施工情報４０５を入力する操作者の負荷を軽減することができる。
【００５１】
上述した処理により、第１管理サーバ１０Ａは、車両３００がエリアを通過することに応じて、運行情報を登録し、端末装置２０へメッセージを送信することができる。したがって、端末装置２０では、図７に示した画面を表示することができる。
【００５２】
（端末装置２０に表示される工事状況管理情報の一例）
図９Ａは、端末装置２０に表示される工事状況管理情報の一例を示す説明図である。図９Ａに示すように、端末装置２０には、工事状況管理テーブル（図４参照）に示した内容が表示されている。これにより、工場３０１のスタッフや、工事現場３０２の現場担当者や、品質担当者や、現場事務所のスタッフや、発注者は、工事状況を把握することができる。なお、図９Ａに示した画面例に限らず、例えば、車両情報４０１と、出荷数量４０２と、気象情報４０３と、材料品質情報４０４と、施工情報４０５のうち、いずれかを閲覧者の操作によって選択可能に表示してもよい。
【００５３】
（端末装置２０に表示される運行管理情報の一例）
図９Ｂは、端末装置２０に表示される運行管理情報の一例を示す説明図である。図９Ｂに示すように、端末装置２０には、運行情報管理テーブル（図５Ｂ参照）に示した内容が表示されている。これにより、工場３０１のスタッフや、工事現場３０２の現場担当者や、品質担当者や、現場事務所のスタッフや、発注者は、車両３００の運行状況を把握することができる。なお、図９Ｂに示した画面例に限らず、例えば、閲覧者の操作に応じて、一の車両３００のみの通過時刻を表示したり、一のエリア（例えばＡチェックポイント）のみの通過時刻を表示したりしてもよい。
【００５４】
（第１管理サーバ１０Ａが行う搬送情報を送信する処理の一例）
図１０は、第１管理サーバ１０Ａが行う搬送情報を送信する処理の一例を示すフローチャートである。図１０において、第１管理サーバ１０Ａは、端末装置２０から搬送情報（運行管理情報または工事状況管理情報）の閲覧要求を受信したか否かを判断する（ステップＳ１２１）。第１管理サーバ１０Ａは、端末装置２０から搬送情報の閲覧要求を受信するまで待機する（ステップＳ１２１：ＮＯ）。
【００５５】
第１管理サーバ１０Ａは、端末装置２０から搬送情報の閲覧要求を受信すると（ステップＳ１２１：ＹＥＳ）、要求に応じた搬送情報（運行管理情報または工事状況管理情報）を端末装置２０へ送信し（ステップＳ１２２）、一連の処理を終了する。上述した処理により、不特定多数の端末装置２０がネットワーク４０Ａを介して第１管理サーバ１０Ａにアクセスすることにより、端末装置２０では、図９Ａに示したように工事状況管理情報を表示したり、図９Ｂに示した運行管理情報を表示したりすることができる。
【００５６】
（実施の形態１にかかる第１管理サーバ１０Ａの機能的構成の一例）
図１１は、実施の形態１にかかる第１管理サーバ１０Ａの機能的構成の一例を示すブロック図である。図１１に示すように、第１管理サーバ１０Ａは、移動情報記憶部５０１と、取得部５０２と、特定部５０３と、登録部５０４と、通知内容記憶部５０５と、搬送情報記憶部５０６と、通信部５０７と、を備える。
【００５７】
移動情報記憶部５０１は、舗装用材料を搬送する車両３００の出発位置（例えば、工場３０１）から搬送先の位置（例えば、工事現場３０２）までの間に設定される所定のエリア（第１エリア〜第４エリア）に対応して、車両３００の移動状況を示す移動情報を記憶する。舗装用材料は、時間管理や温度管理などが必要な材料であり、例えば、生コンクリートや、アスファルト混合物である。所定のエリアは、仮想的な境界線で囲まれたエリア（ジオフェンス）である。移動状況は、「出荷」や「チェックポイントの通過」や「到着」といったエリアにおける車両３００の状況である。また、移動情報記憶部５０１は、所定のエリアの位置情報を記憶する。なお、移動情報記憶部５０１は、例えば、図５Ａに示した移動情報管理テーブル（ＲＡＭ５３）によって実現される。
【００５８】
取得部５０２は、車両３００の位置を測定する位置測定装置３０の測定結果に基づく位置に関する情報を取得する。位置に関する情報は、例えば、位置測定装置３０によって測定される車両３００の現在地点を示す位置情報（例えば、緯度経度情報）である。取得部５０２は、第２管理サーバ１０Ｂを介して、位置測定装置３０から位置に関する情報を受信することにより、位置に関する情報を取得する。ただし、位置に関する情報は、車両が位置（通過）するエリア（通過エリア）の情報でもよい。具体的には、車両３００（位置測定装置３０）が通過エリアを特定する機能を有している場合には、取得部５０２は、位置測定装置３０が特定した通過エリアを示す情報を、第２管理サーバ１０Ｂを介して、位置測定装置３０から受信することによって取得すればよい。
【００５９】
また、位置に関する情報は、車両３００の現在地点における時刻の情報（または車両３００が通過エリアを通過した時刻の情報）を含む。ここで言う時刻は、例えば、位置測定装置３０によって現在地点が測定された時刻としてもよいし、第１管理サーバ１０Ａが、第２管理サーバ１０Ｂを介して、位置測定装置３０から車両３００の位置に関する情報を受信した時刻としてもよい。
【００６０】
特定部５０３は、取得部５０２によって取得された位置に関する情報に基づいて、移動情報記憶部５０１に記憶される移動情報の中から、車両３００が通過する通過エリアに対応する移動情報を特定する。具体的には、特定部５０３は、取得部５０２によって取得された車両３００の現在地点を示す位置情報と、移動情報記憶部５０１に記憶されるエリアの位置情報とを用いて、車両３００が通過する通過エリアを特定する。さらに、特定部５０３は、移動情報記憶部５０１を参照し、通過エリアに対応する移動情報を特定する。例えば、通過エリアが第１エリアの場合には、特定部５０３は、対応する搬送情報として「出荷」を示す移動情報を特定する。
【００６１】
登録部５０４は、位置に関する情報から得られる通過エリアにおける通過時刻と、特定部５０３によって特定された移動情報と、を含む舗装用材料の搬送情報を搬送情報記憶部５０６に登録（記憶）する。搬送情報は、車両の運行管理情報（図５Ｂ参照）や、工事状況管理情報（図４参照）を含む。搬送情報記憶部５０６は、例えば、図４に示した工事状況管理テーブルや、図５Ｂに示した運行情報管理テーブル（ＲＡＭ５３）によって実現される。
【００６２】
通知内容記憶部５０５は、所定のエリアに対応して通知内容を記憶する。通知内容は、例えば、車両３００の位置や車両３００の工事現場３０２までの到達時間を示唆するメッセージである。通知内容記憶部５０５に記憶されるメッセージは、更新されてもよい。例えば、渋滞などが発生した場合には、工事現場３０２までの到達時間が予め設定された時間と異なる場合がある。このような場合、車両３００の走行履歴を用いて、工事現場３０２までに要した時間を用いて、メッセージの内容（到達時刻）を更新してもよい。
【００６３】
特定部５０３は、取得部５０２によって取得された位置に関する情報に基づいて、通知内容記憶部５０５に記憶される通知内容の中から、通過エリアに対応する通知内容を特定する。具体的には、特定部５０３は、車両３００の現在地点を示す情報と、移動情報記憶部５０１に記憶されるエリアの位置情報とを用いて、車両３００が通過する通過エリアを特定する。さらに、特定部５０３は、通知内容記憶部５０５を参照し、通過エリアに対応する通知内容を特定する。例えば、通過エリアが第１エリアの場合には、特定部５０３は、対応する通知内容として「出発しました」を示すメッセージを特定する。
【００６４】
通信部５０７は、特定部５０３によって特定された通知内容を含む搬送情報を端末装置２０へ送信する。通信部５０７は、特定部５０３によって特定された通知内容のみを送信してもよいし、通知内容とともに、例えば、通過エリアの通過時刻を含む運行情報を送信してもよい。
【００６５】
また、通信部５０７は、通知内容とともに、例えば、車両３００が搬送する舗装用材料の搬送内容（工事状況管理情報）についても、端末装置２０へ送信してよい。搬送内容は、例えば、車両３００が搬送する舗装用材料の搬送量や品質（練り混ぜ開始からの時間や舗装用材料の温度）を示す情報である。この場合、取得部５０２は、工事状況管理テーブル（図４参照）を参照し、車両３００によって搬送される舗装用材料の搬送内容を取得すればよい。これにより、現場担当者は、車両３００がいつ到着するのか、および到着する車両３００によって搬送される生コンクリートの量や品質を把握することができる。
【００６６】
また、通信部５０７は、端末装置２０からの送信要求に応じて端末装置２０へ搬送情報を送信する。ただし、通信部５０７は、搬送情報のうち、通知内容については、予め登録された端末装置２０へ送信してもよい。また、通信部５０７は、搬送情報のうち、運行管理情報や、工事状況管理情報については、端末装置２０からの送信要求に応じて端末装置２０へ送信してもよい。
【００６７】
また、通信部５０７は、予め設定されたエリアを車両３００が通過した場合にのみ、搬送情報を端末装置２０へ送信してもよい。例えば、通信部５０７は、工事現場３０２から近いエリア（例えば、第３エリアや第４エリア）を通過した場合に、搬送情報を端末装置２０へ送信し、工事現場３０２から遠いエリア（例えば、第１エリアや第２エリア）を通過した場合には搬送情報を端末装置２０へ送信しないようにしてもよい。これにより、現場担当者等にとって重要な情報（近くにある車両についてのメッセージ）を優先的に通知することができる。
【００６８】
また、例えば、第１管理サーバ１０Ａは、現場付近に多数の車両３００が停車し、現場付近で円滑な荷卸しができていないような場合には、途中経路における車両３００や工場３０１に対して、その旨を通知したり、到着時刻を遅らせる旨を通知したりしてもよい。この場合、通知内容記憶部５０５は、工事現場３０２における車両が多いことを示す通知内容を記憶しておけばよい。また、特定部５０３は、工事現場３０２の第４エリアにおいて、一定数量以上の車両３００が停車している場合に、車両３００が多いことを示す通知内容を特定すればよい。
【００６９】
同様に、例えば、第１管理サーバ１０Ａは、現場付近に到達する車両３００が少ない場合には、途中経路における車両３００や工場３０１に対して、その旨を通知したり、到着時刻を早める旨を通知したりしてもよい。この場合、通知内容記憶部５０５は、工事現場３０２における車両３００の数が少ないことを示す通知内容を記憶しておけばよい。また、特定部５０３は、工事現場３０２の第４エリアにおいて、車両３００が一定数以下の場合に、車両３００が少ないことを示す通知内容を特定すればよい。
【００７０】
また、舗装用材料を用いる道路工事では、工事が進むにつれて、舗装用材料の搬送距離が長くなることがある。このため、工事の進捗状況に応じて、車両３００の荷卸しまでに要する時間（第４エリアを通過してから実際の現場に到達するまでの時間）が変わる場合もある。このため、工事現場３０２における工事の進捗に応じて、第４エリアに対応するメッセージの内容（「まもなく到着します」）を、例えば、「現場の入り口に到着しました」という内容に更新してもよい。
【００７１】
また、第１管理サーバ１０Ａは、舗装用材料の品質が低下した場合（例えば、渋滞等により練り混ぜ開始から９０分が経過した場合）には、その旨を示す通知内容を通知してもよい。この場合、通知内容記憶部５０５は、品質の低下を示す通知内容を記憶しておけばよい。また、特定部５０３は、通過エリアに対応する通知内容とともに、品質の低下を示す通知内容を特定すればよい。なお、工事現場３０２から遠いエリアにおいて、一定水準以下に品質が低下した場合（例えば、練り混ぜ開始から６０分が経過した場合）には、工事現場３０２に到着するときにはさらなる品質の低下（時間の経過）が見込める。このため、特定部５０３は、通過エリアに応じて（車両３００が工事現場３０２から遠いエリアにいる場合に）、品質の低下を示す通知内容を特定してもよい。
【００７２】
上述した、取得部５０２と、特定部５０３と、登録部５０４とは、図２に示したＣＰＵ５１が管理プログラムを実行することによって実現される。また、通信部５０７は、通信Ｉ/Ｆ５６によって実現される。
【００７３】
以上説明したように、実施の形態１にかかる第１管理サーバ１０Ａは、車両３００が所定のエリアを通過する場合に、通過エリアに対応する移動情報と、通過エリアにおける通過時刻と、を含む搬送情報を登録することとした。これにより、舗装用材料の搬送状況を適切に管理することができる。したがって、端末装置２０を有する現場担当者や工場のスタッフ等は、工事の進捗に対する搬送状況を共有することができるとともに、搬送状況を的確に把握することができる。このため、工事現場３０２において使用される舗装用材料の品質の低下を抑えることができる。
【００７４】
また、第１管理サーバ１０Ａは、車両３００が所定のエリアを通過する場合に、通過エリアに対応するメッセージを端末装置２０へ送信することとした。これにより、現場担当者等にメッセージ（搬送状況）を通知することができる。したがって、現場担当者等は、搬送状況をリアルタイムに把握することができる。
【００７５】
また、第１管理サーバ１０Ａは、車両３００が搬送する舗装用材料の搬送内容を含む搬送情報を端末装置２０へ送信してもよい。これにより、現場担当者は、到着する車両３００によって搬送される搬送用材料の搬送量や品質を把握することができる。
【００７６】
また、実施の形態１にかかる管理システム１によれば、車両３００から送信される位置に関する情報を用いて搬送情報を管理するだけの構成であるため、新たな設備投資等を不要にすることができる。すなわち、通信料（端末装置２０と第１管理サーバ１０Ａとの通信料、位置測定装置３０と第２管理サーバ１０Ｂとの通信料、および第１管理サーバ１０Ａと第２管理サーバ１０Ｂとの通信料）と、第１管理サーバ１０Ａおよび第２管理サーバ１０Ｂの使用料だけで済むため、低廉な構成で管理システム１を実現することができる。
【００７７】
（実施の形態２）
次に、本発明にかかる実施の形態２について説明する。実施の形態２では、上述した実施の形態１に加えて、車両３００が通過するエリアの通過順序を予め設定しておき、通過順序に応じたエリアの通過である場合に、搬送状況の登録やメッセージを通知するようにした構成について説明する。言い換えれば、実施の形態２は、車両３００がエリアを通過する場合でも、通過順序に応じたエリアの通過ではない場合には、運行情報の登録やメッセージの通知を行わないようにする構成である。なお、以下の説明において、実施の形態１で説明した点については、同様の符号を付し、説明を省略する。
【００７８】
（実施の形態２の概要）
図１２は、実施の形態２の概要を示す説明図である。図１２において、工事現場３０２（第７エリア）は、例えば、高速道路における道路工事が行われる場所を示す。工場３０１から工事現場３０２までの経路６００上には、複数のエリア（第１エリア〜第７エリア）が設けられる。第１管理サーバ１０Ａは、各エリアの通過順序を記憶する。例えば、通過順序は、第１エリア→第２エリア→第３エリア→第４エリア→第５エリア→第６エリア→第７エリアの順である。高速道路における道路工事においては、例えば、逆側の車線を経由して工事現場３０２に到達することがあるため、車両３００が同じエリアを複数回通過することがある。
【００７９】
具体的に説明すると、図１２に示すように、第１エリア（工場３０１）から第７エリア（工事現場３０２）まで到達する間に、車両３００は、第３エリアと第５エリアとを複数回通過することとなる。具体的には、第４エリアを通過した後に、再び第３エリアを通過することとなり、また、第６エリアを通過した後に、再び第５エリアを通過することとなる。このような同じエリアの通過は、通過順序に対応しない通過となる。実施の形態２では、通過順序に対応しないエリアの通過となる場合には、図５Ｂの運行情報管理テーブルへの運行情報の登録や、端末装置２０へのメッセージの送信を行わないようにする。
【００８０】
（実施の形態２にかかるメッセージ管理テーブルの一例）
図１３は、実施の形態２にかかるメッセージ管理テーブルの一例を示す説明図である。図１３に示すメッセージ管理テーブルは、図４の工事状況管理テーブルや、図５Ａの移動情報管理テーブルや、図６のメッセージ管理テーブルに記憶される一部の情報も記憶する。なお、本明細書において、図１３に示すテーブルを「メッセージ管理テーブル」と称するが、「運行情報管理テーブル」と称してもよい。
【００８１】
図１３において、メッセージ管理テーブルは、「通過順」と、「エリアＩＤ」と、「移動情報」と、「メッセージ」と、「通過時刻」と、「出荷数量」との各情報を含む。なお、図１３において、「エリアＩＤ」と、「移動情報」と、「メッセージ」と、「通過時刻」とについては、実施の形態１で説明した内容と同様である。「通過順」は、通過するエリアの順序を示す。また、「通過順」の「８」は、車両３００に対する運行情報の登録の終了を示す。「出荷数量」は、車両３００が搬送する舗装用材料の搬送量を示す。
【００８２】
「エリアＩＤ」、「移動情報」、「メッセージ」については、７つのエリアに対応して、情報が記憶されている。「通過時刻」は、通過順序に従って車両３００がエリアを通過した場合に、記憶される時刻の情報である。なお、図１３において、エリアＩＤ「００５」〜「００７」に対応する「通過時刻」は、ブランクを示しており、すなわち、車両３００がエリアＩＤ「００５」の手前を走行中であることを示している。
【００８３】
（実施の形態２にかかる第１管理サーバ１０Ａが行う車両３００の運行情報を管理する処理の一例）
図１４は、実施の形態２にかかる第１管理サーバ１０Ａが行う車両３００の運行情報を管理する処理の一例を示すフローチャートである。図１４において、第１管理サーバ１０Ａは、車両３００がエリアＩＤ「００１」に対応する第１エリア（工場３０１）を通過したか否かを判断する（ステップＳ２０１）。第１管理サーバ１０Ａは、車両３００が第１エリアを通過するまで待機する（ステップＳ２０１：ＮＯ）。第１管理サーバ１０Ａは、車両３００が第１エリアを通過すると（ステップＳ２０１：ＹＥＳ）、当該車両３００を特定する（ステップＳ２０２）。また、ステップＳ２０２において、第１管理サーバ１０Ａは、特定した車両３００に対応する通過順Ｉを「１」に設定する。
【００８４】
次に、第１管理サーバ１０Ａは、図１３のメッセージ管理テーブルを参照し、第１エリアを示すエリアＩＤ「００１」に対応する移動情報（「出荷」を示す情報）を特定する（ステップＳ２０３）。そして、第１管理サーバ１０Ａは、位置情報とともに位置測定装置３０から送信される測定時刻の情報を用いて、第１エリアを通過した通過時刻を取得する（ステップＳ２０４）。次に、第１管理サーバ１０Ａは、第１エリアを通過した通過時刻（運行情報）を、図１３のメッセージ管理テーブルに記憶する（ステップＳ２０５）。
【００８５】
そして、第１管理サーバ１０Ａは、図１３のメッセージ管理テーブルを参照し、エリアＩＤ「００１」に対応するメッセージ（「出発しました」）を特定する（ステップＳ２０６）。そして、第１管理サーバ１０Ａは、登録されている端末装置２０へ、特定したメッセージを送信する（ステップＳ２０７）。そして、第１管理サーバ１０Ａは、通過順Ｉを「２」に設定する（ステップＳ２０８）。
【００８６】
次に、第１管理サーバ１０Ａは、車両３００がいずれかのエリアを通過したか否かを判断する（ステップＳ２０９）。第１管理サーバ１０Ａは、車両３００がいずれかのエリアを通過するまで待機する（ステップＳ２０９：ＮＯ）。第１管理サーバ１０Ａは、車両３００がいずれかのエリアを通過した場合（ステップＳ２０９：ＹＥＳ）、エリアを特定する（ステップＳ２１０）。
【００８７】
そして、第１管理サーバ１０Ａは、特定したエリアのエリアＩＤと、通過順Ｉに対応するエリアＩＤとが一致するか否かを判断する（ステップＳ２１１）。第１管理サーバ１０Ａは、特定したエリアのエリアＩＤと、通過順Ｉに対応するエリアＩＤとが一致しないと判断した場合（ステップＳ２１１：ＮＯ）、すなわち、当該エリアが通過順序に応じたエリアではない場合、運行情報の記憶やメッセージの送信を行わずに、そのままステップＳ２０９に戻る。
【００８８】
一方、第１管理サーバ１０Ａは、特定したエリアのエリアＩＤと、通過順Ｉに対応するエリアＩＤとが一致すると判断した場合（ステップＳ２１１：ＹＥＳ）、図１３のメッセージ管理テーブルを参照し、特定したエリアのエリアＩＤに対応する移動情報を特定する（ステップＳ２１２）。そして、第１管理サーバ１０Ａは、位置情報とともに位置測定装置３０から送信される測定時刻の情報を用いて、当該エリアを通過した通過時刻を取得する（ステップＳ２１３）。次に、第１管理サーバ１０Ａは、当該エリアに対応する通過時刻を、図１３のメッセージ管理テーブルに記憶する（ステップＳ２１４）。
【００８９】
そして、第１管理サーバ１０Ａは、図１３のメッセージ管理テーブルを参照し、特定したエリアのエリアＩＤに対応するメッセージを特定する（ステップＳ２１５）。次に、第１管理サーバ１０Ａは、登録されている端末装置２０へ、特定したメッセージを送信する（ステップＳ２１６）。なお、ステップＳ２０７やステップＳ２１６において、第１管理サーバ１０Ａは、メッセージの送信のみならず、移動情報や、通過時刻の情報や、出荷数量の情報を端末装置２０へ送信してもよい。そして、第１管理サーバ１０Ａは、通過順Ｉに「１」を加算する（ステップＳ２１７）。
【００９０】
次に、第１管理サーバ１０Ａは、通過順Ｉが「８」であるか否かを判断する（ステップＳ２１８）。第１管理サーバ１０Ａは、通過順Ｉが「８」ではないと判断した場合（ステップＳ２１８：ＮＯ）ステップＳ２０９に戻る。第１管理サーバ１０Ａは、通過順Ｉが「８」であると判断した場合（ステップＳ２１８：ＹＥＳ）、当該車両３００についての管理（運行情報の登録等）を終了し（ステップＳ２１９）、一連の処理を終了する。
【００９１】
上述した処理により、第１管理サーバ１０Ａは、車両３００が通過順に応じてエリアを通過した場合に、運行情報を登録し、端末装置２０へメッセージを送信することができる。したがって、端末装置２０では、例えば、図１３に示したメッセージ管理テーブルに記憶される内容を表示することができる。
【００９２】
（実施の形態２にかかる第１管理サーバ１０Ａの機能的構成の一例）
図１５は、実施の形態２にかかる第１管理サーバ１０Ａの機能的構成の一例を示すブロック図である。図１５に示す第１管理サーバ１０Ａは、図１１に示した第１管理サーバ１０Ａの機能的構成と比較して、通過順序記憶部５１０を有する点で異なる。
【００９３】
通過順序記憶部５１０は、車両３００が複数のエリアを通過する際の通過順序を記憶する。通過順序は、例えば、現場事務所のスタッフや、工事現場３０２の現場担当者によって、工事現場３０２ごとに、時間帯や日にちに応じて適宜設定されて、記憶される。通過順序記憶部５１０は、例えば、図１３に示したメッセージ管理テーブル（ＲＡＭ５３）によって実現される。
【００９４】
登録部５０４は、通過順序記憶部５１０を参照し、通過エリアが通過順序に応じたエリアである場合に、搬送情報を登録する。言い換えれば、登録部５０４は、通過エリアが通過順序に応じたエリアではない場合に、搬送情報を登録しない。すなわち、例えば、車両３００が一度通過したエリアを再度通過したような場合（通過順序に即していない場合）には、搬送情報を登録しない。
【００９５】
なお、上述した説明では、車両３００が工場３０１から工事現場３０２まで走行する間の運行情報を登録することとしたが、車両３００が工事現場３０２から工場３０１に戻る場合（帰路の場合）も、車両３００の運行情報を登録することが可能である。この場合、エリアごとに帰路用の移動状況（例えば、「荷卸完了」や「工場到着」など）を示す移動情報を記憶しておき、車両３００がエリアを通過した際に、エリアに応じた移動情報を登録するようにすればよい。また、エリアに応じた帰路用のメッセージ（「あと１０分で工場に到着します」など）を記憶しておき、車両３００がエリアを通過した際に、エリアに応じた帰路用のメッセージを送信するようにしてもよい。また、この場合において、同一エリアを２回通過することになる場合には、通過順序記憶部５１０に帰路用の通過順を設定しておけばよい。
【００９６】
以上説明したように、実施の形態２にかかる第１管理サーバ１０Ａによれば、実施の形態１と同様の効果を得ることができる。特に、実施の形態２では、通過エリアが通過順序に応じたエリアである場合に、搬送情報を登録するようにした。すなわち、通過エリアが通過順序に応じたエリアではない場合に、搬送情報を登録しないようにした。したがって、工場３０１から工事現場３０２までの間に同一のエリアを複数回通過する場合でも、舗装用材料の搬送状況を適切に管理することができる。
【００９７】
なお、以上に説明した第１管理サーバ１０Ａを実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００９８】
１…管理システム
１０Ａ…第１管理サーバ
１０Ｂ…第２管理サーバ
２０…端末装置
３０…位置測定装置
５１…ＣＰＵ
５２…ＲＯＭ
５３…ＲＡＭ
５４…入力デバイス
５５…出力デバイス
５６…通信Ｉ/Ｆ
３００…車両
３０１…工場
３０２…工事現場
５０１…移動情報記憶部
５０２…取得部
５０３…特定部
５０４…登録部
５０５…通知内容記憶部
５０６…搬送情報記憶部
５０７…通信部
５１０…通過順序記憶部
【図１】
2020071535.tif 000003
【図２】
2020071535.tif 000004
【図３】
2020071535.tif 000005
【図４】
2020071535.tif 000006
【図５Ａ】
2020071535.tif 000007
【図５Ｂ】
2020071535.tif 000008
【図６】
2020071535.tif 000009
【図７】
2020071535.tif 000010
【図８】
2020071535.tif 000011
【図９Ａ】
2020071535.tif 000012
【図９Ｂ】
2020071535.tif 000013
【図１０】
2020071535.tif 000014
【図１１】
2020071535.tif 000015
【図１２】
2020071535.tif 000016
【図１３】
2020071535.tif 000017
【図１４】
2020071535.tif 000018
【図１５】
2020071535.tif 000019